(57)【要約】      （修正有）【課題】載置台に載置した積載古紙を粉砕装置に移送して粉砕する際に、同時に複数枚の古紙積載紙を定量的に供給する自動供給装置を提供する。【解決手段】積載古紙１が載置される載置台２と、粗面を表面に有する単独の円筒状の給紙ローラー４と、ローラーシャフト５の一端側に結束され、ローラーシャフト及び給紙ローラーを回転させる駆動モーター７と、ローラーシャフトの他端側に配され、駆動モーターと同重量の調整錘と、給紙ローラー、駆動モーター及び調整錘と均等重量の牽引錘１８と、一端がローラーシャフトの両端に結束され、他端が牽引錘に連結され、両端の間で滑車に掛けられた懸垂具１６と、を有する給紙装置であって、給紙ローラー、駆動モーター及び調整錘の総重量と牽引錘との重量差により、給紙ローラーを、載置台に載置された積載古紙の上に接圧しながら、駆動モーターで給紙ローラーを回転させることにより、同時に複数枚の古紙を粉砕装置に自動供給する。【選択図】図２
0003199323.tif 000002
【実用新案登録請求の範囲】
【請求項１】
古紙を粉砕装置に移送して粉砕する際に、載置台に載置した積載古紙の上に、粗面を表面に有する単独の円筒状の給紙ローラーを上下操作リフトを用いて配置し、給紙ローラーの駆動モーター結束側のローラーシャフトの他端側に駆動モーターと同重量の調整錘を配し、上下操作リフトのローラーシャフトの両端に滑車を介して結束させた懸垂具により給紙ローラー、駆動モーター及び調整錘と均等重量の牽引錘を左右に設けて、給紙ローラー、駆動モーター及び調整錘の総重量と牽引錘との重量差により古紙を接圧しながら、駆動モーターで給紙ローラーを回転させることにより、同時に複数枚の古紙を粉砕装置に自動供給する給紙装置
【考案の詳細な説明】
【考案の詳細な説明】
【技術分野】
【０００１】本考案は、載置台に載置した積載古紙を粉砕装置に移送して粉砕する際に、同時に複数枚の古紙積載紙を定量的に供給する自動供給装置に関するものである。
【背景技術】
【０００２】古紙を粉砕して樹脂と混合して複合材を製造する際に、従来の積載古紙等の供給に使用されている給紙装置は、特開平４−３７１４２５号広報などに開示されているような、回転モーターの駆動によりウレタンゴムやエラストマー材のような弾性を有する粗面の給紙ローラーを古紙に接圧させて回転させる装置が広く採用されている。これらの給紙装置では、ローラーと積載紙表面との接触圧が過大に過ぎて皺や重なりによる給紙の過負荷による粉砕装置の停止を起こすことのないように、或いは接触圧の不足による給紙不足を起こすことのないように、コイルばね等の調圧装置のダイヤルを操作させて接触圧を調整する方式が採用されている。しかし、ロール表面への汚染物の付着や給紙する古紙の紙質、粗さ等の性状の変化により、ローラーの汚れや摩耗に相応して微妙な圧力調整操作が必要となり、定量的に円滑な繰り出しを行うことが困難であり、粉砕装置に移送された古紙の粉砕作業に影響を与え、紙詰まりや過負荷による粉砕装置の停止、刃の損傷、紙質の低下といった問題を生じ、生産性の低下を起こしている。
更に、従来の給紙装置は、一定の給紙を行う目的で給紙に伴う積載古紙の積載高さの変化に応じて載置台の高さを一定に保つために位置センサーや仕切箱を設けて、積載古紙の重量変化の減少に応じて載置台を上昇せしめることにより位置決めを行なっている。
載置台高さの調整は、載置古紙の重量が初期３００ｋｇ〜１０００ｋｇと大きな荷重であり、載置古紙の種類に応じて変化するため、給紙ローラーの接触圧を一定に保つには微妙な調整を必要とする問題があった。また、粉砕機の作業停止や生産性の低下を避けるために、複数の給紙ローラーを作動させたり、手作業による給紙や接圧の調整が行われており、作業性と経済性の観点からも改善が望まれていた。
【考案の効果】
【０００８】本考案の目的は載置台に載置した積載古紙を粉砕して樹脂と混合して複合材を製造する際に、所定の性状を有する単独の給紙ローラーの自重圧を調整することにより、簡便な積載作業で同時に複数枚の古紙を定量的に粉砕装置に移送する安価な自動供給装置を提供し、紙詰まりや過負荷による粉砕作業の生産効率の低下を防止し、給紙ローラーの接圧調整作業を省き、安定した効率の良い粉砕作業を可能とすることにある。
【考案を実施するための最良の形態】
【０００９】本考案を実施するための最良の形態としては、フォークリフト等の搬送具を用いて載置台に載置した古紙の上に、粗面を表面に有する単独の軽量な円筒状の給紙ローラーを上下操作リフトを用いて配置し、給紙ローラーの駆動モーター結束側のローラーシャフトの他端側に駆動モーターと同重量の調整錘を配し、上下操作リフトのローラーシャフトの両端に滑車を介して結束させたロープ、チェイン等の懸垂具により給紙ローラー、駆動モーター及び調整錘と均等重量の牽引錘を左右に設けて、給紙ローラー、駆動モーター及び調整錘の総重量と牽引錘との重量差により古紙を接圧しながら、ギヤードモーター等の駆動モーターで給紙ローラーを回転させることにより、同時に複数枚の古紙を粉砕装置に自動供給する給紙装置を提供する。
【実施例】
【００１０】以下本考案の実施例を図面に基づき詳細に説明する。【００１１】  図１は、本考案の構成例を示す自動供給装置の正面断面図である。
通常一枚が０．２〜１．０ｍ２、厚さ０．１〜５ｍｍの上質、模造、新聞・雑誌、板紙等の製紙用に供された古紙１が、高さ１ｍ前後、重量２００〜５００ｋｇに積載され、プラスチック製のバンド止めをして搬送され、載置台２にフォークリフトや電動リフト等の移送具を用いて載置され、カッターナイフ等で結束バンドを外して給紙に供される。本考案の図１ではパレット３上にフォークリフトを用いて載置された例を示す。
給紙ローラー４のローラーシャフト５の一端は、結束具６を介して駆動モーター７のシャフトと結合され、回転させられる。ローラーシャフト５の他端は、同じく結束具８を介して、駆動モーター７と同重量の調整錘９を配し、給紙ローラー４の左右両端の重量バランスを得ることにより、給紙の偏りを防止することを可能としている。
給紙ローラー４と積載古紙１との接触圧を印加するには、ローラーシャフト５の両端に、一方の滑車１０、１１及び他方の滑車１２、１３を介してベアリング軸受１４、１５に結束したロープ、ベルト、チェイン等の懸垂具１６、１７により重量バランスを取る牽引錘１８、１９を連結し、給紙ローラー側と牽引錘側との重量差から得る。即ち、ローラーシャフト５を含む給紙ローラー４、駆動モーター７及び調整錘９及びこれらの結束具６、８を含む総重量とこれに比べて弱重量となる左右の牽引錘１８、１９の総重量との重量差により積載古紙１を接圧する。
牽引錘１８，１９の重量は、左右同重量とし、古紙の種類、強度、寸法、重さ等の性状に応じて予め設定するが、鋳鉄等の金属製の錘を重ねることにより重量を容易に調整することができ、最適な接圧を設定したり、調整することが可能である。【００１２】  図２は、本考案の構成例を示す自動供給装置の側面図である。
給紙ローラー４の積載古紙１表面上への配置は、給紙装置架台２０に設けられた上下リフト溝２１へ挿入されたローラーシャフト５の上下操作により、設置される。
給紙ローラー４は、直径が３〜３０ｃｍ、幅３０〜１２０ｃｍのステンレス等の金属製や塩化ビニール、ポリプロピレン等の樹脂製の円筒で中空構造とし、特に、厚み０．５〜２．５ｍｍのステンレス製の中空ドラムは耐久性があり、柔軟材の交換が容易で好ましい。ローラーシャフト５はステンレス、アルミ等の金属が用いられる。
給紙ローラー４の表層部材２２は、ウレタン、ブタジエン、スチレン・ブタジエン等のゴムやエラストマー等の弾性材、又はポリオレフィン等のスポンジ状の発泡材、表面にすのこ状や突起を有するマット状シート等の凹凸・粗面を表面に有する柔軟材を表面に張り付けた構造体が用いられ、容易に取付、交換ができる。鉄条網のような有刺鉄線をはりめぐした構造体や突起を有する金属板を張り付けた構造体も好適に用いられる。
本考案の給紙装置は、簡便な構造で容易な操作により、給紙ローラー側と牽引錘の重量差により古紙を均等に接圧しながら、駆動モーターで給紙ローラーを回転させて２〜１０枚の複数枚数の古紙を同時に安定して粉砕装置に自動供給することができる。本考案の給紙装置から繰り出された古紙は、投下先に設置された幅０．６〜１．５ｍの幅広のベルトコンベアー２３上に導入され、次工程の粉砕装置投入口へ移送される。
【図面の簡単な説明】
【００１３】
【図１】図１は、本考案の構成例を示す自動供給装置の正面断面図である。
【図２】図２は、本考案の構成例を示す自動供給装置の側面図である。
【符号の説明】
【００１４】  １：  古紙
２：  載置台
３：  パレット
４：  給紙ローラー
５：  ローラーシャフト
６：  結束具
７：  駆動モーター
８：  結束具
９：  調整錘
１０、１１、１２、１３：  滑車
１４、１５：  ベアリング軸受
１６、１７：  懸垂具
１８、１９：  牽引錘
２０：  給紙装置架台
２１：  上下リフト溝
２２：  表層部材
２３：  ベルトコンベアー
【図１】
0003199323.tif 000003
【図２】
0003199323.tif 000004
【手続補正書】
【提出日】平成27年5月28日(2015.5.28)
【手続補正１】
【補正対象書類名】実用新案登録請求の範囲
【補正対象項目名】全文
【補正方法】変更
【補正の内容】
【実用新案登録請求の範囲】
【請求項１】
積載古紙が載置される載置台と、
粗面を表面に有する単独の円筒状の給紙ローラーと、
当該ローラーシャフトの一端側に結束され、当該ローラーシャフト及び当該給紙ローラーを回転させる駆動モーターと、
当該ローラーシャフトの他端側に配され、当該駆動モーターと同重量の調整錘と、
当該給紙ローラー、当該駆動モーター及び当該調整錘と均等重量の牽引錘と、
一端が当該ローラーシャフトの両端に結束され、他端が当該牽引錘に連結され、両端の間で滑車に掛けられた懸垂具と、
を有する給紙装置であって、
前記給紙ローラー、前記駆動モーター及び前記調整錘の総重量と前記牽引錘との重量差により、前記給紙ローラーを、当該載置台に載置された当該積載古紙の上に接圧しながら、前記駆動モーターで前記給紙ローラーを回転させることにより、同時に複数枚の古紙を粉砕装置に自動供給する給紙装置。